【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
プロセスプラントにおいて使用するためのプロセス制御システムにおいて操作者表示部のために複合形状をスケーリングするための方法であって、前記方法は、
前記プロセスプラント内のエンティティを図示する複合形状を表示するステップであって、前記複合形状は１つ以上のサブエレメントを含み、各サブエレメントは１つ以上のスケーリングされていないパラメータを含み、各スケーリングされていないパラメータは１つ以上のスケーリングパラメータを含み、各スケーリングパラメータは、対応するサブエレメントのサイズ変更動作を定義する、ステップと、
前記複合形状を１つ以上の寸法でサイズ変更するステップと、
サイズ変更した各寸法に対するスケーリング係数を計算するステップと、
１つ以上のスケーリング係数を、スケーリングパラメータに関連する各スケーリングされていないパラメータに適用するステップと、を含む、
コンピュータプログラム。
【請求項２】
前記サブエレメントは、スケーリングパラメータを含む、請求項１に記載の方法。
【請求項３】
前記サイズ変更した各寸法のための前記スケーリング係数は、前記サイズ変更した寸法と前記サイズ変更した寸法に対応するスケーリングされていないパラメータとの比を含む、請求項１又は２に記載の方法。
【請求項４】
各スケーリングパラメータは、対応するサブエレメントのスケーリング動作を制御する、請求項１〜３の何れか１項に記載の方法。
【請求項５】
前記１つ以上のスケーリングされていないパラメータは、フォントサイズ、エッジ幅、角の丸み半径、幅、高さ、位置のうちの１つ以上を含む、請求項１〜４の何れか１項に記載の方法。
【請求項６】
前記１つ以上のスケーリングされていないパラメータは、スケーリングパラメータを適用するためのベースライン値を含む、請求項１〜５の何れか１項に記載の方法。
【請求項７】
構成時に、各複合形状およびスケーリングパラメータを構成するステップと、実行時に、各構成された複合形状を構成されたスケーリングパラメータにバインドするステップと、をさらに含む、請求項１〜６の何れか１項に記載の方法。
【請求項８】
プロセスプラント内の操作とエンティティのうちの１つ以上を表す１つ以上の複合形状をサイズ変更するよう前記プロセスプラントで使用するためのグラフィックディスプレイエディタであって、
複合形状のライブラリであって、前記複合形状の各々は、前記プロセス制御プラント内の物理的または論理的エンティティの異なる視覚表示を含み、前記複合形状は１つ以上のサブエレメントを含む、ライブラリと、
ユーザが、複合グラフィックオブジェクトの前記ライブラリから１つ以上の複合グラフィックオブジェクトの指標を編集キャンバスに配置することによって、実行可能なグラフィックディスプレイを定義することを可能にして、前記１つ以上の複合グラフィックオブジェクトの視覚表示が、ユーザに対して、前記グラフィックディスプレイの実行中にディスプレイ機器上に表示される様態を定義する、グラフィックベースのエディタキャンバスルーチンであって、前記ユーザは、前記複合グラフィックオブジェクトの前記コンポーネントオブジェクトの各々のスケーリング動作を制御することが可能になる、グラフィックベースのエディタキャンバスルーチンと、
前記ユーザが、１つ以上のスケーリングパラメータを複合形状の１つ以上のサブエレメントに関連づけることを可能にするスケーリングキャンバスルーチンであって、前記複合形状の各サブエレメントは、スケーリングキャンバスオブジェクト内に含まれ、各スケーリングパラメータは、前記複合形状に関連するサブエレメントのスケーリング動作を定義する、スケーリングキャンバスルーチンと、
前記ユーザが、前記エディタキャンバス内の前記複合形状の１つ以上の寸法を変更することを可能にする複合形状サイズ変更ルーチンであって、前記変更は、前記関連するスケーリングパラメータに従って前記複合形状の１つ以上のサブエレメントに適用される、複合形状サイズ変更ルーチンと、を備える、
グラフィックディスプレイエディタ。
【請求項９】
前記複合形状の各々は、前記１つ以上のスケーリングパラメータを含む、請求項８に記載のグラフィックディスプレイエディタ。
【請求項１０】
前記スケーリングキャンバスオブジェクトは、前記1つ以上のスケーリングパラメータ
を含む、請求項８又は請求項９に記載のグラフィックディスプレイエディタ。
【請求項１１】
前記スケーリングキャンバスオブジェクトの各サブエレメントは、前記1つ以上のスケ
ーリングパラメータを含む、請求項８に記載のグラフィックディスプレイエディタ。
【請求項１２】
前記複合形状サイズ変更ルーチンは、前記スケーリングキャンバスオブジェクトが、前記スケーリングキャンバスの１つ以上のサイズ変更された寸法と１つ以上の対応するスケーリングされていないパラメータとの比を含む、スケーリング係数を計算することを可能にする、請求項８〜請求項１０の何れか１項に記載のグラフィックディスプレイエディタ。
【請求項１３】
前記１つ以上の対応するスケーリングされていないパラメータは、テキストオブジェクトのフォントサイズ、サブエレメントのエッジ幅、サブエレメントの角の丸み半径、サブエレメントの幅、サブエレメントの高さ、および前記複合形状の１つ以上の他のサブエレメントに相対するサブエレメントの位置のうちの１つ以上を含む、前記複合形状の１つ以上の変更前パラメータを含む、請求項１２に記載のグラフィックディスプレイエディタ。
【請求項１４】
コンピュータが実行可能な命令を格納するコンピュータが読み取り可能な有形の媒体であって、前記命令をプロセッサ上で実行するとき、プロセス制御プラントのグラフィック表示における１つ以上の複合形状を表示し、各複合形状は、前記プロセスプラント内の操作とエンティティとのうちの１つ以上を表し、前記コンピュータが読み取り可能な有形の媒体は、
スケーリングキャンバスオブジェクト内の１つ以上のサブエレメントを含む１つ以上の複合形状を含むデータベースであって、各サブエレメントは１つ以上のスケーリングされていないパラメータを含む、データベースと、
前記プロセスプラントのグラフィック表示を表示するためのグラフィックヒューマン・マシンインターフェースと、を備え、前記インターフェースは、
構成時に、前記１つ以上のスケーリングパラメータを含む前記１つ以上の複合形状を構成し、および、実行時に、各構成された複合形状を、構成されたスケーリングパラメータにバインドするためであって、各スケーリングパラメータは、複合形状の対応するサブエレメントのサイズ変更動作を定義し、
前記複合形状のサイズ変更されたスケーリングキャンバスオブジェクトを表示するためであって、前記サイズ変更されたキャンバスオブジェクトは１つ以上の変更された寸法を含み、
各変更された寸法に対してスケーリング係数を計算するためであって、前記スケーリング係数は、前記スケーリングキャンバスオブジェクトの１つ以上の変更された寸法と、１つ以上の対応するスケーリングされていないパラメータとの比を含み、
１つ以上のスケーリング係数を、スケーリングパラメータを含む各サブエレメントの各スケーリングされていないパラメータに適用するためのコンピュータが実行可能な命令を有する複合形状サイズ変更モジュールを含む、コンピュータが読み取り可能な有形の媒体。
【請求項１５】
前記スケーリングキャンバスオブジェクトは、Ｗｉｎｄｏｗｓ（登録商標）  Ｐｒｅｓｅｎｔａｔｉｏｎ  Ｆｏｕｎｄａｔｉｏｎ  Ｃａｎｖａｓクラスの拡張を含む、請求項１４に記載のコンピュータが読み取り可能な有形の媒体。
【請求項１６】
前記１つ以上のスケーリングされていないパラメータは、各サブエレメントの１つ以上の寸法に対応する１つ以上のベースライン値を含む、請求項１４又は請求項１５に記載のコンピュータが読み取り可能な有形の媒体。
【請求項１７】
前記スケーリングキャンバスオブジェクトは、前記１つ以上のスケーリングパラメータを含む、請求項１４〜１６の何れか１項に記載のコンピュータが読み取り可能な有形の媒体。
【請求項１８】
前記スケーリングキャンバスオブジェクトのサブエレメントは、前記1つ以上のスケー
リングパラメータを含む、請求項１４〜１７の何れか１項に記載のコンピュータが読み取り可能な有形の媒体。
【請求項１９】
前記複合形状の前記サブエレメントは、前記１つ以上のスケーリングパラメータを含む、請求項１４〜１８の何れか１項に記載のコンピュータが読み取り可能な有形の媒体。